(57)【要約】ユーザ機器用のスケジューラ、及び、かかるユーザを有するユーザ機器が、ディスク記憶装置との協働のために与えられる。スケジューラは、生成されるノイズの量ができる限り少ない記憶場所で、ディスク記憶装置の記憶空間へユーザデータを記録し、記録空間からユーザデータを読み出すよう設計される。スケジューラは、ディスク記憶装置のノイズの性能に関する情報を有する関連メモリを有する。書き込み又は読み出しのための記憶場所を選択するとき、スケジューラは、メモリを調べ、低ノイズ記憶領域を選択するよう設計される。
2006511012.tif 000002
【特許請求の範囲】
【請求項１】
ディスク記憶装置を有する機器用のスケジューラであって、
前記スケジューラは、前記ディスク記憶装置の記憶媒体の記憶空間内にデータを受信し前記データを書き込むよう設計され、
前記スケジューラは、少なくとも１つの動作パラメータを設定するとき、前記スケジューラが低ノイズ生成を目的として前記動作パラメータを設定する第１のモードで動作するよう設計される、スケジューラ。
【請求項２】
前記スケジューラは、常に前記第１のモードで動作する、請求項１記載のスケジューラ。
【請求項３】
前記スケジューラは、前記動作パラメータを設定するときに、前記スケジューラが前記動作パラメータをノイズ低下なしで設定する少なくとも第２のモードで動作することが可能である、請求項１記載のスケジューラ。
【請求項４】
前記スケジューラは、前記第２のモードで動作しているとき、前記動作パラメータを前記第１のモードで動作しているときのものとは異なった値又は選択へ設定し、前記第１のモードで設定された前記動作パラメータの値又は選択は、前記第２のモードで設定される前記動作パラメータの値又は選択に関連付けられるノイズの量よりも少ないノイズ生成量を生じさせる、請求項３記載のスケジューラ。
【請求項５】
前記スケジューラの動作モードはユーザ選択可能であり、前記スケジューラは、前記第１のモード又は前記第２のモードのいずれかとしてその動作モードを選択するようユーザ入力に対して応答的である、請求項２乃至４のうちいずれか一項記載のスケジューラ。
【請求項６】
前記スケジューラは、前記機器の近傍の少なくとも一人の人の存在を判定することが可能であり、前記スケジューラは、少なくとも一人の人の存在を判定するとその動作モードを前記第１のモードとして選択するよう設計され、前記スケジューラは人がいないと判定するとその動作モードを前記第２のモードとして選択するよう設計される、請求項２乃至４のうちいずれか一項記載のスケジューラ。
【請求項７】
時刻クロックを具備し、前記スケジューラは、前記時刻に依存してその動作モードを選択するよう設計される、請求項２乃至４のうちいずれか一項記載のスケジューラ。
【請求項８】
前記スケジューラは、前記ディスク記憶装置用の書き込みコマンドを発生するよう設計され、前記少なくとも１つの動作パラメータは、前記データが書き込まれるべき前記記憶空間内の記憶場所のターゲットアドレスである、請求項１乃至７のうちいずれか一項記載のスケジューラ。
【請求項９】
前記スケジューラは、前記ディスク記憶装置用の読み出しコマンドを発生するよう設計され、前記少なくとも１つの動作パラメータは、前記データが読み出されるべき前記記憶空間内の記憶場所のターゲットアドレスである、請求項１乃至８のうちいずれか一項記載のスケジューラ。
【請求項１０】
前記スケジューラは、前記ディスク記憶装置の音特徴に関する情報を含むメモリに関連付けられ、前記スケジューラは、前記第１のモードで動作しているとき、前記記憶空間内の記憶場所のターゲットアドレスを選択するときに前記メモリ内の情報を参照する、請求項８又は９記載のスケジューラ。
【請求項１１】
前記ディスク記憶空間は、静かな領域とノイズの多い領域とを有し、
前記スケジューラは、前記第１のモードで動作しているとき、前記静かな領域内及び前記ノイズの多い領域内に利用可能な十分な記憶空間があれば、前記記憶空間の前記静かな領域内のターゲットアドレスを選択するよう設計される、請求項８乃至１０のうちいずれか一項記載のスケジューラ。
【請求項１２】
前記スケジューラは、前記第２のモードにおいて、前記記憶空間の前記静かな領域の外側のターゲットアドレスを選択するよう設計される、請求項１１及び３記載のスケジューラ。
【請求項１３】
前記ディスク記憶空間は、中間ディスク領域、内側ディスク領域及び外側ディスク領域を有し、
前記スケジューラは、前記第１のモードで動作しているとき、前記中間ディスク領域内及び前記内側ディスク領域又は外側ディスク領域内に十分な記憶空間があれば、前記記憶空間の前記中央ディスク領域内のターゲットアドレスを選択するよう設計される、請求項８乃至１０のうちいずれか一項記載のスケジューラ。
【請求項１４】
前記スケジューラは、前記第２のモードでは、前記記憶空間の前記中央ディスク領域の外側のターゲットアドレスを選択するよう設計される、請求項１３及び３記載のスケジューラ。
【請求項１５】
前記スケジューラは、前記記憶空間の静かな領域から前記記憶空間のノイズの多い領域へ記録物を再配置するよう設計される、請求項１１乃至１４のうちいずれか一項記載のスケジューラ。
【請求項１６】
前記スケジューラは、前記記録物が長期的記憶を意図したものであることを示すユーザ入力の受信に応答して前記再配置処理を行なうよう設計される、請求項１５記載のスケジューラ。
【請求項１７】
前記スケジューラは、前記記憶空間のノイズの多い領域から前記記憶空間の静かな領域へ記録物を複製するよう設計される、請求項１１乃至１６のうちいずれか一項記載のスケジューラ。
【請求項１８】
前記スケジューラは、前記記録物が近い将来に再生されるべきであることを示すユーザ入力の受信に応じて前記複製処理を行なうよう設計される、請求項１７記載のスケジューラ。
【請求項１９】
前記スケジューラは、アイドル時に前記再配置又は複製処理を行なうよう設計される、請求項１５乃至１８のうちいずれか一項記載のスケジューラ。
【請求項２０】
時刻クロックを具備し、前記スケジューラは所定の時間帯の間、前記再配置処理を行なうよう設計される、請求項１５乃至１８のうちいずれか一項記載のスケジューラ。
【請求項２１】
前記タイムスロットを将来設定するユーザ入力に応答的である、請求項２０記載のスケジューラ。
【請求項２２】
前記スケジューラは、前記第１のモードで動作しているとき、ノイズの多い領域への書き込み／ノイズの多い領域からの読み出しを行うときにシークの動きを減少させ、静かな領域への書き込み／静かな領域からの読み出しを行うときにシークの動きを増加させる、請求項１又は２記載のスケジューラ。
【請求項２３】
ディスク記憶媒体と、請求項１乃至２２のうちいずれか一項記載のスケジューラとを有する装置。
【請求項２４】
前記ディスク記憶媒体は、ハードディスク・ドライブ・ユニットを有する、請求項２３記載の装置。
【発明の詳細な説明】
【技術分野】
【０００１】
本発明は、概して、回転ディスク記憶媒体及び異なった記憶位置へのアクセスのためにディスク面の上でピックアップを移動させるアクチュエータを有する記憶装置に関する。特に、しかし排他的ではなく、本発明は、磁気記憶ディスクを含むハードディスク記憶装置に関連する。しかしながら、基本的には、本発明の基礎となる原理は光記憶装置にも適用可能である。
【背景技術】
【０００２】
一般的に知られているように、記憶ディスクは、情報がデータパターンの形で記憶されうる記憶空間の、連続的な螺旋の形又は多数の同心円の形のいずれかの複数のトラックを有する。記憶ディスクの記憶空間に情報を書き込むために、又はディスクから情報を読み出すために、ディスクドライブは、ディスクを回転させる回転手段と、記憶トラックをスキャンするピックアップ手段とを有する。一般的な記憶ディスクの技術、情報が光又は磁気ディスク上に記憶されうる方法、及び光又は磁気データが光又は磁気ディスクから読み出されうる方法は、一般的に知られているため、本願明細書でこの技術をより詳細に説明することは必要がない。
【０００３】
磁気ディスクの場合、ピックアップ手段は、一般的にはディスク面に対して平行な平面上で移動可能なアクチュエータ・アームに取り付けられた磁気ヘッドを有する。通常は、アクチュエータ・アームは、ディスク回転軸に対して平行な軸の回りで回動可能である。磁気ヘッドは、データパターンを書き込むためにディスクの領域を磁化するために電気信号を磁場へ変換することが可能であり（書き込み動作）、データパターンを読み出すときに磁場変動を電気信号へ変換することが可能である（読み出し動作）。
【０００４】
書き込み又は読み出しモードでは、可聴ノイズが発生する。ノイズ寄与は、幾つかの源から生じうる。磁気ピックアップは、回転するディスクと相互作用し、ディスクの振動を生じさせる。ピックアップをトラック上に維持するようアクチュエータ・アームの位置を連続的に調整するトラック追跡サーボ・システムは、搬送フレーム及びハウジングへ機械的に移送されるアクチュエータ・アームの振動を生じさせる。「シーク」動作と称される、１つのトラックから他のトラックへの素早いジャンプは、搬送フレーム及びハウジングへ同様に機械的に移送されるアクチュエータ・アームのがたがたいうノイズを生じさせる。
【０００５】
従って、本発明の主な目的は、かかるノイズを抑えることである。
【０００６】
上述の問題は、例えば、ハードディスク・ドライブの一般的な構造的な設計をかなり詳しく述べている特許文献１に既に記載されている。この問題を低減させるために、当該文献は、特にアイドル動作中に、シーク動作に置いて使用される速度プロファイルを最適化させる方法を開示し、方法はハードディスク装置自体内のコントローラによって行われる。
【０００７】
上記において「最適化させる」の意味は、最小のノイズ発生に関する最適化を意味する。修正された速度プロファイルは、ノイズを減少させるが、このような方法は、加速を減少させ、従ってシーク時間が増加し、これは明らかに常に許容可能ではない。
【特許文献１】米国特許第６，３９６，６５３号明細書
【発明の開示】
【発明が解決しようとする課題】
【０００８】
本発明は、上述の従来技術のアプローチの代わりに又はそれに加えて行われる異なったアプローチを提案する。
【課題を解決するための手段】
【０００９】
本発明は特に、ハードディスク・ドライブ・ユニット（ＨＤＤＵ）が組み込まれる消費者装置に関連する。制限的でない例により、テレビジョン番組の音声及び画像（Ａｕｄｉｏ／Ｖｉｄｅｏ）を格納するＨＤＤＵを組み込んだテレビジョン装置について説明する。かかる用途では、データ転送の速度が非常に重要である。
【００１０】
ＨＤＤＵは、長期的記憶用（記録物をアーカイブに保存する）、中期的記憶用（記録物を再生用に数日間保存する）、又は短期的記憶用（記録物が続いている間に再生する）に、テレビジョン番組を記録するＡＶレコーダとして作用しうる。長期的記憶及び中期的記憶の場合にも、古い番組が再生されている間に新しい番組が記録されえ、その場合、再生は記録が続いている間にも生ずることに留意すべきである。短期的記憶の語は、ユーザが番組を見ているが、番組が続いている間に休みをとろうとしている場合に用いられる。即ち、番組が記録され、ユーザが戻ると、ユーザは自分が離れたところから視聴を続けようとする。すると、記録物は、記録されたときから遅延時間の後に再生去れ、遅延時間はユーザの休みの持続期間に対応する。従って、ピックアップ用のジャンプ距離もまた、ユーザの休みの持続時間に対応する。この種類の組み合わされた書き込み／読み出し動作は「時間シフト」とも称される。
【００１１】
単純な記録又は再生動作では、シーク動作の回数は比較的少なく、なぜならば、書き込み又は読み出しは夫々、原則的には「まっすぐな」線で行われることができ、即ち常に１つのトラックを追跡するからである。しかしながら、同時の再生及び記録の場合、シーク動作の回数は比較的多く、なぜならばピックアップは書き込み位置から読み出し位置へ連続的に前後してジャンプする必要があるからである。
【００１２】
かかる消費者装置では、いかなる高いレベルの「機械的ノイズ」も許容可能でない。従って、ノイズの低減した内蔵式ＨＤＤＵを有する消費者装置を提供する必要がある。
【００１３】
ディスク上の記憶位置は、トラック番号及びセクタ番号で特徴付けられ得る。トラック番号は、或る半径方向のトラック位置に対応する。発生されるノイズのレベルは、特に、ピックアップが動作又はジャンプしている半径方向上の位置に依存することがわかっている。各ＨＤＤＵは、ノイズの量を場所の関数として示す、それ自体のサウンド・プロファイルを有する。しかしながら、同じ種類の幾つかのＨＤＤＵの場合、実際上は、幾つかのサウンド・プロファイルは非常に似ているか、同一である。更に、異なった種類のＨＤＤＵを互いに比較するときでさえも、サウンド・プロファイルは、一般的には、ディスクの中間部の動作に関連するノイズレベルが、ディスクの内側部又はディスクの外側部の動作に関連するノイズレベルよりもかなり低いという点で、一般的に似ている。これに関して、「ディスクの内側部」の語は、最も内側のトラックに隣接したディスク領域に関連し、「ディスクの外側部」の語は、最も外側のトラックに隣接したディスク領域に関連し、「ディスクの中間部」は、中央トラックの回りの中央ディスク領域に関連する。
【００１４】
消費者装置では、ＨＤＤＵは、通常は専門ＨＤＤ製造者によって製造され、通常は他のＨＤＤＵと交換可能な別個のモジュールである。ＨＤＤＵへの及びＨＤＤＵからのデータ通信は、消費者装置のスケジューラによって実行される。データが格納されるとき、スケジューラはデータをＨＤＤＵへ送信し、また所望の記憶場所に関するコマンドを送信する。ＨＤＤＵは、スケジューラに対する従順なスレーブとして動作することが期待され、受信されるデータはスケジューラによって指定される位置で書き込まれる。スケジューラによって指定される目標位置が欠陥があると思われるときのみ、ＨＤＤＵは再配置場所を選択することが許される。スケジューラはまた、どこにデータが記憶されたかに注意する。このデータが検索されるべきであるとき、スケジューラは、読み出すべき場所に関する情報を含む読み出しコマンドをＨＤＤＵへ送信する。
【００１５】
本発明は、低ノイズ生成が重要であるときにＨＤＤＵのサウンド・プロファイルを考慮に入れるようスケジューラを変更することを提案する。また、スケジューラは、実行すべき動作の種類、時刻等の状況を考慮に入れうる。例えば、時間シフトされた書き込み／読み出し動作の場合、スケジューラは、記録用の中間ディスク領域を選択するよう設計されうる。
【発明を実施するための最良の形態】
【００１６】
本発明の上述の及び他の面、特徴、及び利点について、図面を参照して本発明の以下の説明によって詳述する。図中、同じ参照番号は、同じ又は類似の部分を示す。図１は、内蔵式ＨＤＤＵ２０によって与えられる記憶機能を有する、例示的な説明のために、テレビジョン装置であると考えられる消費者装置１を概略的に示す。ＨＤＤＵ２０へ及びＨＤＤＵ２０からのデータトラフィックを制御するために、装置１は、通信リンク３０を介してＨＤＤＵ２０と通信するスケジューラ１０を有する。スケジューラ１０からＨＤＤＵ２０への通信は、記憶用データ、記憶コマンド、再生コマンドを有する。ＨＤＤＵ２０からスケジューラ１０への通信は、再生データ及びエラーメッセージを含む。
【００１７】
当業者によれば明らかであるように、データ信号及びコマンド信号は、実際にはディジタル通信における所定のフォーマットに従って混合される。しかしながら、明瞭性のため、データ及びコマンドの転送は、スケジューラ１０の対応する入力及び出力、並びに、ＨＤＤＵ２０と共に、異なった通信チャネルとして考えられる。従って、スケジューラ１０は、データが書き込み用のデータ出力１１と、書き込みコマンド発行用の書き込みコマンド出力１２と、読み出しコマンドを発行する読み出しコマンド出力１３と、再生データ受信用のデータ入力１４と、ステータス情報、エラーメッセージ等の受信用のステータス入力１５とを有すると考えられる。更に、ＨＤＤＵ２０は、書き込まれるべきデータの受信用のデータ入力２１と、書き込みコマンドを受信する書き込みコマンド入力２２と、読み出しコマンドを受信する読み出しコマンド入力２３と、再生データを出力するデータ出力２４と、ステータス情報、エラーメッセージ等を出力するステータス出力２５とを有すると考えられる。書き込みデータリンク３１は、スケジューラのデータ出力１１をＨＤＤＵのデータ入力２１に接続し、書き込みコマンドデータリンク３２はスケジューラの書き込みコマンド出力１２をＨＤＤＵの書き込みコマンド入力２２に接続し、読み出しコマンドデータリンク３３はスケジューラの読み出しコマンド出力１３をＨＤＤＵの読み出しコマンド入力２３に接続し、読み出しデータリンク３４はＨＤＤＵのデータ出力２４をスケジューラのデータ入力１４に接続し、ステータス・リンク３５はＨＤＤＵのステータス出力２５をスケジューラのステータス入力１４に接続する。
【００１８】
装置１は、自分の望みを表わすのに使用することが許されるコマンドボタン、スイッチ、キーボード等を適切に有するユーザ入力手段２を更に有する。様々なボタン等は、簡単化のために個別には示されていない。
【００１９】
装置１は更に、例えばアンテナ、ケーブル分配網等からオーディオ／ビデオ番組を受信する番組入力３を有する。データ処理回路４を通じて、受信された番組ストリームはスケジューラ１０へ転送される。
【００２０】
装置１は、ディスプレイ画面、スピーカ等のレンダリング装置へ番組出力信号を与える番組出力６を更に有する。データ処理回路５を通じて、スケジューラ１０はデータを出力６へ転送する。
【００２１】
図２Ａは、ＨＤＤＵ２０のディスク４０の一部の平面図である。ＨＤＤＵは、１又はそれ以上のかかるディスクを含むことに留意すべきである。ディスク４０は、一般的に知られているように、複数のトラックを含むが、簡単化のため個々には示されていない。最も外側のトラック４１は、記録可能なディスク領域４６の外側半径を定義し、最も内側のトラック４５はこの記録可能なディスク領域４６の内側半径を定義する。記録可能なディスク領域４６は、外側ディスク領域ＯＤ４２として示される、最も外側のトラックに隣接する外側領域と、内側ディスク領域ＩＤ４４として示される最も内側のトラック４５に隣接する内側領域と、中央ディスク領域ＭＤ４３として示されるＯＤ４２とＩＤ４４の間の中央領域とを有する。例として、ＯＤ４２、ＭＤ４３、及びＩＤ４４は、互いに同じ半径寸法を有することが想定される。
【００２２】
図２Ｂ中、記録可能なディスク領域４６は、まっすぐな帯として示されている。
【００２３】
図３Ａは、図２Ｂと同様の表現であり、従来技術のスケジューラの動作を示す。ディスク４０が依然として空であり、スケジューラが第１の番組５１を記録させる命令を受信すると想定する。かかる従来技術のスケジューラは、記録可能なディスク領域４６に第１の利用可能なアドレスから、例えば内側トラック４５から外側へ、即ち内側ディスク領域ＩＤ４４に書き込みを開始しうる。
【００２４】
図３Ｂは、より大きな縮尺で記録物５１を示す。Ａ，Ｃ，Ｅ，Ｂ，Ｄは、ＩＤ４４上の点である。垂直軸は時間を表わす。ピックアップの動きは、図中の経路として示される。
【００２５】
最初は、ユーザは、装置１に番組５１を記録しようとするだけであるとする。次に、開始点Ａから徐々に書き込みが続き、これはＡからＢへ傾斜する線として示される。
【００２６】
記録が点Ｂまで進んだとき、ユーザは番組５１を見始めようとする。スケジューラは、入力番組が書き込みバッファに記憶されている間に再生バッファ（図示せず）を埋めるよう、開始位置Ａから位置Ｃへの再生を命令する。ピックアップは、位置Ａへジャンプし、これはＢからＡへの水平な線として示されており、再生中に点Ａから点Ｃへ徐々に移動し、これはＡからＣへ傾斜する線として示されている。
【００２７】
次に、スケジューラは、位置Ｂから位置Ｄへ書くことを続け、番組の表示が再生バッファから続いている間、記憶すべきデータを書き込みバッファから読み出す。ピックアップは、位置Ｂへジャンプし、これはＣからＢへの水平な線として示されており、書き込み中に点Ｃから点Ｄへ徐々に移動し、これはＢからＤへの傾斜線として示されている。
【００２８】
この手順は、同時書き込み及び読み出しが続く限り続く。これは、繰り返されるシーク動作、即ちＢからＡへのジャンプ、ＣからＢへのジャンプ、ＤからＣへのジャンプ等である。これらのジャンプはノイズを生じさせる。
【００２９】
図４Ａ及び図４Ｂは、図３Ａ及び図３Ｂと同様の表現であり、同じタスクについて設定された、本発明によるスケジューラ１０の動作を示す。記録可能なディスク領域４６中の第１の利用可能なアドレスで開始する代わりに、本発明のスケジューラ１０は、最小のノイズの検討に基づいて開始点Ａのアドレスを選択するよう設計される。簡単な実施例では、スケジューラ１０は、ＭＤ４３の中心で開始点Ａを選択しうる。より精巧な実施例では、スケジューラ１０は、ディスク４０のノイズ・プロファイル・データを有する関連付けられたメモリ７を有してもよく、この場合、スケジューラ１０は、開始点Ａを最低ノイズのトラック、即ち最低のノイズ発生量に関連付けられるトラック、と一致するよう選択してもよい。
【００３０】
再び、時間シフトされた再生モードでは、ＢからＡへのジャンプ、ＣからＢへのジャンプ、ＤからＣへのジャンプ等が行なわれ、これらのジャンプはノイズを生じさせる。しかしながら、ノイズレベルは従来技術と比較して低減され、なぜならば記録は低ノイズ領域、即ちＭＤ４３において行なわれるからである。
【００３１】
ユーザは、再生の後でさえも、第１の番組５１をより長い時間に亘って維持しようとする。幾らか後に、ユーザは、第２の番組を記録しようとすると想定する。従来技術では、かかる第２の番組５２は、以前の番組５１が終わった位置から開始して記憶されていた（図３Ａ）。本発明によれば、このような第２の番組もまた、最低の予想ノイズ量で、低ノイズ領域に書き込まれる。しかしながら、書き込みによって満たされているときは、望ましい中間ディスク領域４３がいっぱいになることは避けられない。これは、後に番組がもはや望ましい位置に記憶され得ないことを意味する。
【００３２】
本発明の望ましい面によれば、スケジューラ１０は、第１の番組５１の記録物を望ましい低ノイズ領域４３の外側の他の場所、例えば外側トラック４１に隣接する場所５１’へ複製するよう設計される（図５Ａ参照）。すると、望ましい低ノイズ領域ＭＤ４３は、スケジューラ１０が第２の番組５２を書き込むために空いている（図５Ｂ参照）。
【００３３】
以下の説明では、低ノイズ領域ＭＤ４３は「静かな領域」の語でも示され、当該の体ノイズ領域ＭＤ４３の外側の記録可能なディスク領域４６の全ての部分はノイズの多い領域４７として示される。
【００３４】
図中、番組のサイズは、記憶領域のサイズと比較して誇張して大きく示されている。現実には、静かな記憶領域４３は、多くの記録された番組を含むことが可能である。それでもなお、静かな記憶領域４３中の記憶容量は無限ではなく、１又はそれ以上の番組を静かな領域ＭＤ４３からノイズの多い領域４７へ再配置することが所望でありうる。これは特に、長期的記憶が意図される番組に適用される。従って、本発明の特別な実施例では、スケジューラ１０は、ユーザ入力２から、記憶装置に関するユーザ意図（即ち、記録物が、長期的記憶を意図したものであるか等）を示す信号を受信することが可能である。静かな領域４３のより多くの記憶容量が記録のために利用可能とされると、スケジューラ１０は中期的記憶用に示されている番組を再配置しうる。
【００３５】
記録物を静かな領域４３から外の場所（５１から５１’）へ再配置することは、ユーザが装置１を使用していないときにスケジューラ１０によって行なわれ、例えばユーザが装置をスリープモード又はアイドルモードにしたときはユーザコマンドは予想されない。再配置処理によって生成される可能なノイズができる限り妨害的でないことを確実とするために、スケジューラ１０は、時刻クロック８を具備してもよく、いかなる再配置プロセスを所定の期間へ制限するよう設計されてもよい。この期間は、例えば、９：００から１６：００の昼間の期間であってもよい。これは、ユーザ機器がユーザの寝室に置かれている場合には適切な選択である。或いは、当該の期間は、例えば１：００から６：００の夜の期間として選択されてもよい。これは、ユーザが夜の間は部屋にいないという想定に基づき、ユーザ機器がユーザの居間に置かれているときに適切な選択である。
【００３６】
また、当該期間の時間がユーザ選択可能であってもよい。
【００３７】
単純な記録又は読み出しモードのとき、即ち時間シフトされた読み出し／書き込みなしのとき、ディスクの読み出し又は書き込みはノイズを生じさせ（回転ノイズ）、このノイズは、静かな領域４３ではノイズの多い領域４７と比較して低い。従って、静かな領域４３に常に書き込むことは、望ましい方法でありうる。しかしながら、状況によっては、ノイズの検討は重要な役割を果たさず、このような場合、スケジューラは、他の方法を選ぶよう設計されうる。例えば、ユーザがいない時間の間に番組が記録されている場合、生成されるいかなるノイズもユーザにとってうるさいものではない。このような場合、ノイズの多い領域４７に番組を書き込むことが望ましいことがあり、それにより静かな領域４３はこの場合に使用されず、再配置のための可能な必要性が回避される。
【００３８】
これに関して、スケジューラは、時刻クロック８を具備してもよく、時刻に基づいてノイズに関する検討事項が適用されるかどうかを決定するよう設計されうる。
【００３９】
また、ユーザが或る番組を記録するためにスケジューラにコマンドを入力すると、スケジューラは、番組がサイレントモードで記録されるべきであるか、又は生成されたノイズの量に関してユーザが無関心であるかどうかを示すユーザ入力を受信するよう設計されうる。
【００４０】
ここまで、本発明によるスケジューラは、番組５２を静かな領域ＭＤ４３に常に記録することが可能であり、なぜならば、より早い記録物（５１）は、かかる静かな領域ＭＤ４３の外側の場所（５１’）に再配置されうる（もちろん、かかる静かな領域ＭＤ４３内にディスク４０が依然として記憶容量を有することが前提である）ことを説明した。結果として、ノイズの多い領域４７に多くの番組が記録されることとなる。上述のように、これは、主に、長期的な記憶に対して示される番組に主に適用される。かかる番組が再生されるとき、上述のように番組が時間シフトモードで再生されるとき、うるさいノイズが生ずることがある。
【００４１】
従って、番組は、再生されているときに静かな領域ＭＤ４３内に配置されることが望ましい。この利点を与えるために、本発明の更なる詳細によるスケジューラ１０は、ユーザ入力２から再生の時間に関するユーザの意図（例えば意図される再生の日付）を示す信号を受信することが可能であり、当該静かな領域ＭＤ４３に再生用の番組の複製を記録するよう設計される。この動作を、図５Ｃ及び図５Ｄに示す。図５Ｃは、第２の番組５２がノイズの多い領域４７に再配置され（５２’）、この場合はＩＤ４４、従って静かな領域４３は記録のために完全に利用可能である。図５Ｄは、再配置された第１の番組５１’の複製５１”が静かな領域４３に記録されていることを示す。
【００４２】
複製処理の時間は、静かな領域からノイズの多い領域への再配置処理に関して上述と同様に選択されうる。
【００４３】
再配置プロセスは、実際は、複製プロセスであることに留意すべきである。再配置の場合（５１→５１’）、元の記録物（５１）はもはや必要とされず、元の記録物によって占められている記憶空間は、将来の記録物のために利用可能とされる。対照的に、再生前にノイズの多い領域から静かな領域へ番組を複製する場合（５１’→５１”）、ユーザがこの番組をより長く維持することが考えられる。すると、元の記録物（即ち、ノイズの多い領域中の記録物５１’）が維持されるべきである。複製記録物５１”（即ち、ノイズの少ない領域中の記録物）は再生直後に廃棄されうるが、ユーザは近い将来にもう一度この番組を再生しようと望むことがあり、その場合、２回目の又は将来の再生のために、この複製記録物５１”を維持することがより効率的である。
【００４４】
時間シフトされた書き込み／読み出しに関して図３Ｂ及び図４Ｂを参照して説明したような１つの場所から他の場所へのジャンプが、唯一のノイズ源ではないことに留意すべきである。かかるジャンプなしでも、ディスクの読み出し又は書き込みはノイズ（回転ノイズ）を生じさせ、このノイズは、静かな領域４３では、ノイズの多い領域４７と比較して少ない。しかしながら、ジャンプは、重要なノイズ源であり、従ってジャンプの発生をできる限り減少させることが望ましい。
【００４５】
上述においては、記録及び再生は（図３Ｂ、図４Ｂ）、記憶領域４６上のピックアップの比較的滑らかな動きに関する。しかしながら、当業者によって知られているように、記憶領域は、或るアドレスを有するブロックへ分割され、実際は、１つ又はそれ以上のブロックは欠陥があり、そこへの記録は可能でないことが起こりうる。このような状況を扱うために、ディスク４０は、欠陥のあるブロックの代替として使用されるよう予約された１又はそれ以上の領域を含む。
【００４６】
図６Ａは、図３Ｂに似たグラフを、より大きい縮尺で示したものである。水平な軸は記憶場所を示し、個々のブロックはＢiとして示され、iは、個々のブロックを区別する整数の指数である。ＳＡは、予備領域を示し、予約されたブロックＲiを含む。
【００４７】
ブロックＢＮは、欠陥があると想定する。通常の記録は、ブロックＢ（Ｎ−２），Ｂ（Ｎ−１）について、ブロックＢＮに達するまで行われ、第１の傾斜線６１によって示される。ブロックＢＮに対して意図されるデータは、第２の傾斜線６２によって示される置換ブロックＲｘ中に記録され、その後、第３の傾斜線６３によって示されるブロックＢ（Ｎ＋１），Ｂ（Ｎ＋２）について通常の記録が続く。この置換記録は、第１の水平線６４によって示されるブロックＢＮから予備空間ＳＡへの第１のジャンプと、第２の水平線６５によって示される予備領域ＳＡからブロックＢ（Ｎ＋１）へ戻る第２のジャンプとを含む。もちろん、欠陥のある領域はただ１つのブロックよりも大きいものであってもよい。
【００４８】
ブロックＢＮから置換ブロックＲｘへの記憶のために意図されたデータの再配置は、ＨＤＤＵ２０において行われる。通常は、スケジューラ１０は、かかる再配置動作に対していかなる制御も行わない。実際には、ＨＤＤＵ２０は、スケジューラに対して再配置が行われたという事実を通信しないことがある。しかしながら、望ましい配置では、ＨＤＤＵ２０は、スケジューラ１０に再配置が行われたという事実を通信し、ＨＤＤＵ２０は、スケジューラ１０に、この欠陥のあるブロックＢＮに対する再配置アドレスＲｘを通信してもよい。
【００４９】
望ましい実施例では、スケジューラ１０は、再配置ジャンプの発生を回避するために、欠陥のあるブロックへの書き込みを回避するよう設計される。スケジューラ１０に関連付けられる欠陥のある領域のメモリ９内では、スケジューラ１０は、書き込み又は読み出し中にＨＤＤＵ２０から受信された情報によれば、欠陥のあるブロックＢＮのアドレスのリストを記憶する。書き込み動作中、スケジューラ１０は、この欠陥のある領域のメモリ９を参考にする。書き込みがブロックＢ（Ｎ−１）へ進むと、スケジューラ１０は、欠陥のある領域のメモリ９から、次のブロックＢＮが欠陥があること、また、スケジューラ１０はこのブロックを飛ばし（ライン６６）、ブロックＢ（Ｎ＋１）において書き込みを続ける（ライン６７）。この動作を、図６Ｂに示す。
【００５０】
当業者によれば、本発明は上述の典型的な実施例に限られるものではなく、添付の特許請求の範囲で定義されるような本発明の保護範囲内の様々な変形及び変更が可能であることが明らかであろう。
【００５１】
例えば、上述においては、本発明は、主にジャンプによって発生されるノイズ（シークノイズ）に関して説明される。しかしながら、ノイズはまた、ピックアップの位置及びディスクに対して加えられる力を生じさせる空気の流れに対する妨害的な効果により起こりうる、回転ディスクの振動モードによっても発生されうる。
【００５２】
上記の説明では、本発明によるスケジューラの動作について、主に、情報を書き込むための特定の位置をシークすることに関して説明した。しかしながら、本発明は、書き込み動作に限られるものではない。或る番組はディスク上の１つよりも多い位置に記憶されえ、これは特に、スケジューラが上述のように番組の再配置を行なった場合である。すると、スケジューラが読み出しコマンドを受信すると、２つ又はそれ以上の番組の位置のうちのいずれかを選択しうる。本発明によれば、スケジューラは、最低限のノイズに関連する番組の位置から番組を読み出す。
【００５３】
上述のように、本発明によるスケジューラの動作について、主に、情報を書き込む又は読み出すために特定の位置をシークすることに関して説明した。シーク・ノイズが最小となる記憶場所を選択すること以外に、シーク方法は、ノイズの発生を考慮に入れて、状況に適応されることも可能である。例えば、よりノイズの多い領域４２、４４で生成されたシーク・ノイズの量は、シーク速度を低下させることにより低下されうる。
【００５４】
上述のように、本発明によるスケジューラは、ノイズに留意したものであって、スケジューラが、関連のあるノイズの量を最小化することに基づいて選択を行なう静かなモードで動作することが可能であることを説明した。スケジューラは、常に、かかる静かなモードで動作することが可能である。しかしながら、かかる静かなモードが必要でない状況がある。例えば、静かなモードは、周囲からのノイズがシーク・ノイズを隠すことが予想される昼間は必要がないことがあり、一方で静かなモードでの動作は夜間に必要でありうる。また、スケジューラは、近傍に人が存在すること／存在しないことを確認する手段に関連付けられ、この場合、スケジューラは、少なくとも一人が存在すると判定すると静かなモードで動作し、誰もいないと判定すると静かでないモードで動作するよう設計されうる。従って、本発明によるスケジューラは、望ましくは少なくとも２つのモード、即ち、スケジューラがノイズに留意し、ノイズ低下に関して選択を行なう第１のモード又は静かなモードと、スケジューラが選択を行うときにノイズの低下を考慮に入れない第２のモード又は静かでないモードで動作することが可能である。
【００５５】
静かなモードで動作するか静かでないモードで動作するかは、ユーザ選択可能とされることが可能である。スケジューラは、それ自体が、１つ又はそれ以上の規準に基づいて静かなモード又は静かでないモードで動作することも可能である。
【００５６】
上述のように、本発明について、ノイズの生成が人間にとってうるさいことに関して説明した。しかしながら、書き込み及び読み出し動作もまた機械的振動に関連付けられ、これは振動に敏感な他の装置に対して妨害又は干渉を与えうる。このような場合、ノイズに関して上述したのと同じ検討事項が振動に適用される。従って、本願明細書では、特に請求項において、「ノイズの量」の表現は、「振動の量」も意味する。
【００５７】
本発明は、ユーザ機器１用のスケジューラ１０、及びディスク記憶装置２０と協働するかかるスケジューラを有するユーザ機器を与えることに成功する。スケジューラは、静かな書き込み／読み出し方法を行なうよう設計され、即ち、生成されるノイズの量ができる限り少ない記憶場所において、回転ディスク記憶装置の記憶領域へユーザデータを記録すること、又は、記録領域からユーザデータを読み出すことを行なうよう設計される。スケジューラは、記憶場所に対するディスク記憶装置２０のノイズの性質に関する情報を有する関連メモリ７を有する。書き込み又は読み出しのために記憶場所を選択するとき、スケジューラは、メモリ７を参照し、静かな記憶領域４３を選択するよう設計される。
【図面の簡単な説明】
【００５８】
【図１】消費者装置を概略的に示す図である。
【図２Ａ】記憶ディスクの一部を概略的に示す図である。
【図２Ｂ】記憶ディスクの記憶空間を概略的に示す図である。
【図３Ａ】記憶ディスクの記憶空間を概略的に示す図である。
【図３Ｂ】記録動作を示す図である。
【図４Ａ】記憶ディスクの記憶空間を概略的に示す図である。
【図４Ｂ】記録動作を概略的に示す図である。
【図５Ａ】記憶ディスクの記憶空間を概略的に示す図である。
【図５Ｂ】記憶ディスクの記憶空間を概略的に示す図である。
【図５Ｃ】記憶ディスクの記憶空間を概略的に示す図である。
【図５Ｄ】記憶ディスクの記憶空間を概略的に示す図である。
【図６Ａ】従来技術による欠陥の場合の記録動作を概略的に示す図である。
【図６Ｂ】本発明による欠陥の場合の記録動作を概略的に示す図である。
【図１】
2006511012.tif 000003
2006511012.tif 000004
2006511012.tif 000005
2006511012.tif 000006
2006511012.tif 000007
2006511012.tif 000008
【国際調査報告】
2006511012.tif 000009
2006511012.tif 000010